(57)【要約】      （修正有）【課題】チェーンが不要で、手で直に排水栓を掴み排水孔に押し込むため、浴槽壁から上半身を乗り出して強く腰をかがめる必要がない排水栓を提供する。【解決手段】栓１の中央上部に雌ネジ６を形成した雌ネジ部５を具備し、下端に雄ネジ８を形成した雄ネジ部７を具備する着脱具２を設け、双方のネジを螺合させ、栓１と着脱具２を結合することにより、高い位置から栓１の閉鎖が確実にできるようにし、また、栓１を閉めた後は、ネジを解いて着脱具２を取り外せるようにし、排水時には再び両ネジを螺合させ着脱具２を栓１に結合することで栓１を抜きやすくした。【選択図】図１
2016158983.tif 000002
【特許請求の範囲】
【請求項１】
浴槽等の円形はめ込み式止水栓において、本体の表面中央に有底の雌ネジ部を有する栓と、当該雌ネジに螺合する雄ネジが形成された雄ネジ部を下端に持つ柄状の着脱具とを組み合わせた着脱具付き止水栓。
【請求項２】
止水栓の雌ネジ部が強磁性体からなり、着脱具に形成された雄ネジ部が永久磁石である、もしくは雄ネジ部が強磁性体で背後に永久磁石に結合していることを特徴とする、請求項１における着脱具付き止水栓。
【請求項３】
止水栓の雌ネジ部と着脱部の雄ネジ部が円錐ネジで螺合する、請求項１乃至２における着脱具付き止水栓。
【発明の詳細な説明】
【技術分野】
【０００１】
本発明は、浴槽等の止水栓の着脱用具に関する。
【背景技術】
【０００２】
浴槽等で用いられる止水栓は、逆円錐台状もしくは半球状の弾性体製の栓上面に、重りを兼ねた金属製の台座が固着され、台座上部にはリングが貫通する穴が開いた凸部を有し、そのリングを介しチェーン等で浴槽の縁の支持部までつなげた構成が一般的であり、止水の際は、浴槽底面の排水孔に止水栓を押し込み、またはチェーンを介し排水孔に落とし込んで栓をする。浴槽の底面は通常、洗い場の底面より深いことから、栓を直に掴み浴槽壁を越えて上半身を乗り出し押し込む作業は、強く腰をかがめる作業姿勢を強いられ、バランスを崩し転倒する危険もある。また、付属のチェーンを介し排水孔に栓を落とし込む場合は、栓を確実にはめ込め込むことが難しく、いびつにはめ込まれた場合には漏水を引き起こすことがある。特に高齢者においては、これらの作業は苦痛を伴いかつ難しい作業である。また、前記止水栓の台座には、金属製の凸部と、リングと、リングに繋がるチェーンがあり、これらは入浴の際に邪魔なものであり、入浴中に不用意にチェーンに身体がふれることにより栓をはずしてしまうこともある。これらを解決する手段として、たとえばネジ式止水栓において栓の上部中央の円孔に柄を挿し込み、円孔と柄下端の噛み合わせ機構により柄と栓を一体化し、柄の回転によりネジ式栓の開閉をするものがある。
【先行技術文献】
【特許文献】
【０００３】
【特許文献１】公開実用新案  平２−１１６８８２号
【発明の概要】
【発明が解決しようとする課題】
【０００４】
上記先行技術はネジ式止水栓を対象とした考案である。しかしながら一般に普及している浴槽栓は、そのほとんどが弾性体の栓を円形の排水孔にはめ込む方式であり、上記先行技術を導入するには、栓のみならず排水孔もネジ式に交換する必要がある。また、ネジ式栓の場合は、ネジを回す際にネジ山が正確に合うよう繊細な操作が必要であり、長柄での遠隔操作は容易でない。
【課題を解決するための手段】
【０００５】
上記課題を解決するために、本発明の着脱具付き止水栓は、以下の構成を有している。
請求項１に記載の発明は、浴槽等の円形はめ込み式止水栓において、本体の表面中央に有底の雌ネジ部を有する栓と、当該雌ネジに螺合する雄ネジが形成された雄ネジ部を下端に有する柄状の着脱具とを組み合わせたことを特徴とする。
【０００６】
請求項２に記載の発明は、請求項１の発明において、止水栓の雌ネジ部が強磁性体からなり、着脱具に形成された雄ネジ部が永久磁石である、もしくは雄ネジ部が強磁性体で背後に永久磁石に結合していることを特徴とする。
【０００７】
請求項３に記載の発明は、請求項１乃至２の発明において、止水栓の雌ネジ部と着脱具の雄ネジ部が円錐ネジで螺合することを特徴とする。
【発明の効果】
【０００８】
上記のように構成したことで、本発明の着脱具付き止水栓は以下の効果を奏する。
請求項１に記載の着脱具付き止水栓は、逆円錐台状または半球状の弾性体で形成された栓本体の表面中央に凹みを有し、その凹み内側に雌ネジが形成された雌ネジ部を有する栓と、当該雌ネジに螺合する雄ネジが形成された雄ネジ部を下端に有し、握り玉を上端に有する柄状の着脱具と、で構成しており、一方のネジを時計まわりに回し閉めると、栓と着脱具は螺合により結合する。このことから、浴槽に栓をする際は、栓と着脱具を手に持ち栓の雌ネジ部と着脱具の雄ネジ部を螺合した後、着脱具上端の握り玉を持ち栓を排水孔に押し込むことで確実に栓をすることができる。閉栓後は握り玉を逆回しすれば螺合は解かれ、着脱具は栓から取り外すことができる。これらのことから、前記止水栓の台座の金属製の凸部と、リングと、リングに繋がるチェーン等は必要とせず快適に入浴することができ、誤ってチェーンを引っかけ栓を外してしまうこともない。
【０００９】
浴槽内の栓を抜く際は、着脱具の上端の握り玉を掴み、排水孔にはまっている栓の雌ネジ部に着脱具下端の雄ネジ部を挿し込み、時計回りに回し螺合することにより、栓と着脱具は再び結合し、握り玉を引き上げることにより、手を濡らすことなく楽な姿勢で栓を抜くことができる。
【００１０】
請求項２に記載の着脱具付き止水栓は、前記栓の雌ネジ部が強磁性体で形成され、前記止水栓着脱具の雄ネジ部が永久磁石である、もしくは雄ネジ部が強磁性体で背後に永久磁石に結合している。このことにより、排水時に栓を抜くための着脱具下端の雄ネジ部を栓の雌ネジ部にあてがう操作が、磁力の作用により雄ネジ部を雌ネジ部の螺号位置に導くことができ、螺号を容易に行うことができる。
【００１１】
請求項３に記載の着脱具付き止水栓は、前記栓の雌ネジ部の雌ネジと前記着脱具の雄ネジ部の雄ネジが螺合する円錐ネジで形成されている。このため、排水時に栓を抜く際の着脱具下端の雄ネジ部を栓の雌ネジ部にあてがう操作が、着脱具の雄ネジ部尖端を栓の雌ネジ部の開口部内に落とし込むことで螺合位置に導くことができ、螺号を容易に行うことができる。
【図面の簡単な説明】
【００１２】
【図１】はめ込み式止水栓と着脱具を示す実施例1の説明図である。
【図２】止水栓雌ネジ部を強磁性体で形成し、着脱具の雄ネジ部を永久磁石で形成した実施例２の説明図である。
【図３】止水栓雌ネジ部と着脱具の雄ネジ部が螺合する円錐ネジで形成されている実施例３の説明図である。
【発明を実施するための形態】
【００１３】
以下、図面を参照しつつ、本発明のすくい取り搬出用具の実施形態を説明する。ただし、本発明の技術的範囲は以下の実施形態に示した具体的な用途や形状・寸法などには限定されない。
【実施例１】
【００１４】
図１は、第１の発明による、はめ込み式止水栓と着脱具との関係を示す実施例1の説明図である。止水栓（１）は、浴槽の場合、内径２０〜５０ｍｍの排水孔の円形台座（３）に密着する、逆円錐台状のゴムまたは軟質樹脂よりなる弾性体（４）と、弾性体（４）の中心部にある有底の雌ネジ部（５）より構成され、雌ネジ部（５）には雌ネジ（６）が形成されている。また、雌ネジ部（５）には、弾性体（４）から抜け出ないよう、抜け止め部（１１）が具備されている。
弾性体（４）の表面中央部を硬質化して凹みを設け、その凹み内側に雌ネジ（６）を形成してもよい。
着脱具（２）は、柄（９）の下端に、上記雌ネジ部（５）の雌ネジ（６）に螺合する雄ネジ（８）を形成した雄ネジ部（７）を具備し、柄（９）の上端には操作がしやすいよう握り玉（１０）を具備している。柄（９）は、樹脂または金属製で中空円筒状のものが軽くて水に浮くことから好ましく、長さは栓の開閉時に水中に没せず操作時に無理な姿勢を取らなくてもよいように４０〜８０ｃｍの範囲とするとよい。ネジは1回転以内で締め止まるものが好ましい。着脱具（２）の雄ネジ部（７）と、柄（９）と握り玉（１０）を合成樹脂製で一体成型すると、強度を高く、製造コストを低減することができる。
【００１５】
浴槽に栓をする際は、栓（１）と着脱具（２）を手に持ち、栓（１）の雌ネジ部（５）と着脱具（２）下端の雄ネジ部（７）を接合し時計まわりに回転させ螺合させた後、着脱具（２）上端の握り玉（１０）を持ち栓（１）を上方から排水孔の台座（３）に押し込むことで確実に栓をすることができる。閉栓後は握り玉（１０）を逆回しすれば、着脱具（２）を排水孔を閉じた栓（１）から取り外すことができ、入浴の邪魔にならない。浴槽の栓を抜く際は、着脱具（２）の握り玉（１０）を持ち、着脱具先端の雄ネジ部（７）を水中に入れ、栓（１）の雌ネジ部（５）に接合し時計まわりに回転させ螺合させた後、握り玉（１０）を上方に引き上げ、栓（１）を共に回収する。保管時は両者をそのまま一体にしておくことで、再び栓を閉める際にそのままで使用することができ、栓（１）の紛失も防げる。
【００１６】
図２は、第１の発明による止水栓着脱具において、着脱具の柄（９）下端に永久磁石製の雄ネジ部（１３）を備え、止水栓の雌ネジ部(１２)を強磁性体製とした第２の発明による実施例２の説明図である。排水のため浴槽の栓を抜く際には、着脱具(２)を持ち下端に付属した永久磁石製の雄ネジ部（１３）を栓(１)上部中央の強磁性体の雌ネジ部（１２）にあてがう必要があるが、永久磁石製の雄ネジ部（１３）を強磁性体の雌ネジ部（１２）付近に寄せると磁力により引き寄せられるため、両者の接合がしやすくなる。この際、排水孔の台座（３）が強磁性体である場合には、着脱具（２）下端の永久磁石製の雄ネジ部（１３）と引き合うため、栓のツバ(１４)の径を大きくして排水孔の台座（３）を覆い、排水孔の台座（３）に引き寄せられないようにするとよい。
なお、雄ネジ部が強磁性体製で背後に永久磁石に結合するものであっても、同様の効果が得られる。（図省略)
また、栓（１）の雌ネジ部が永久磁石製で、着脱具（２）の雄ネジ部が強磁性体であっても、同様の効果が得られる。（図省略）
【００１７】
図３は、第1乃至２の発明による止水栓着脱具において、円錐ネジの雌ネジ部（１５）と円錐ネジの雄ネジ部（１６）が円錐ネジで螺号する第３の発明による実施例３の説明図である。前記円錐ネジの雌ネジ部（１５）と前記円錐ネジの雄ネジ部（１６）は同規格の先細りの円錐ネジで形成されており両者は螺合するため、排水時に栓（１）を抜く際、着脱具（２）の円錐ネジの雄ネジ部（１６）尖端を栓（１）の円錐ネジの雌ネジ部（１５）の開口部内に落とし込むことで螺合位置に導くことができ、螺合を容易に行うことができる。
【産業上の利用可能性】
【００１８】
本発明は、従来のはめ込み式の浴槽栓において、既存の栓の交換と簡便な着脱具を用いることで、栓の開閉の難しさと不確実さ、危険性を解消することができる。本用具は廉価で供給でき簡便で故障が少なく、家庭用や宿泊施設の浴槽、その他、はめ込み式の栓を用いる液体貯蔵施設に活用できる。
【符号の説明】
【００１９】
１  栓
２  着脱具
３  排水孔の台座
４  弾性体
５   雌ネジ部    
６  雌ネジ      
７  雄ネジ部        
８  雄ネジ      
９  柄      
１０  握り玉
１１  抜け止め部      
１２  強磁性体の雌ネジ部    
１３  永久磁石製の雄ネジ部      
１４  栓のツバ
１５  円錐ネジの雌ネジ部
１６  円錐ネジの雄ネジ部
【図１】
2016158983.tif 000003
【図２】
2016158983.tif 000004
【図３】
2016158983.tif 000005